(57)【要約】【課題】  着用時に、吸収体が、着用者の肌に向かって曲面状に突出した形状に変形し、優れたフィット性及び防漏性が得られる吸収性物品を提供すること。【解決手段】  液透過性の表面シート２、液不透過性の裏面シート３及びこれら両シート間に介在された液保持性の吸収体４を具備し、実質的に縦長に形成されている吸収性物品１であって、吸収体４は、その幅方向中央部における裏面シート３側の面に凹部４１を有すると共に、該凹部４１の両側に位置する部分４Ｂの表面シート２側の面に、長手方向に延びる一対の溝４２，４２を有しており、凹部４１は、吸収体４の構成材料の坪量を他の部分より減らして形成されており、該凹部４１の幅Ｗが５〜３０ｍｍである。【選択図】    図２
2006115996.tif 000002
【特許請求の範囲】
【請求項１】
液透過性の表面シート、液不透過性の裏面シート、及びこれら両シート間に介在された液保持性の吸収体を具備し、実質的に縦長に形成された吸収性物品であって、
前記吸収体は、その幅方向中央部における裏面シート側の面に凹部を有すると共に、該凹部の両側に位置する部分の表面シート側の面に、長手方向に延びる一対の溝を有しており、
前記凹部は、前記吸収体の構成材料の坪量を他の部分より減らして形成されており、該凹部の幅が５〜３０ｍｍである吸収性物品。
【請求項２】
液透過性の表面シート、液不透過性の裏面シート及びこれら両シート間に介在された液保持性の吸収体を具備し、実質的に縦長に形成されている吸収性物品であって、
前記吸収体は、上部吸収層と下部吸収層とからなり、該下部吸収層は、その幅方向中央部に開口部を有すると共に、前記開口部の両側に位置する部分の表面シート側の面に、長手方向に延びる一対の溝を有しており、
前記上部吸収層は、吸収性物品の幅方向において、一対の前記溝間の領域に位置し且つ前記開口部の両側に跨っている吸収性物品。
【発明の詳細な説明】
【技術分野】
【０００１】
本発明は、生理用ナプキンやパンティライナー等の吸収性物品に関する。
【背景技術】
【０００２】
従来、液透過性の表面シート、液不透過性の裏面シート及びこれら両シート間に介在された液保持性の吸収体を具備し、実質的に縦長に形成されている吸収性物品において、着用時に、吸収体の幅方向の断面形状を所定の形状に変形させることによって、防漏性の向上やフィット性の向上を図る技術が知られている。
例えば、特許文献１には、吸収体の肌当接面側の面に一対の溝を形成すると共に、一対の前記溝間における非肌当接面側の面にも溝を形成したものが記載されている。
また、特許文献２には、一対の溝を形成した吸収体における溝間の領域を、伸長状態で固定した弾性体で収縮させるようにした吸収性物品が記載されている。
【０００３】
【特許文献１】特開平１０−９９３７２号公報
【特許文献２】特開平１１−２９９８２７号公報
【発明の開示】
【発明が解決しようとする課題】
【０００４】
しかし、従来の吸収性物品においては、使用時に、吸収体の断面形状がいびつに変形したり、一部において屈曲して折れ曲がり部が生じることによって、着用者の肌に違和感を与える恐れがある。また、特許文献２記載のものは、弾性体を伸長状態で固定する必要があり、製造工程及び製品の構造が複雑となる。
【０００５】
従って、本発明の目的は、着用時に、吸収体が、着用者の肌に向かって曲面状に突出した形状に変形し、優れたフィット性及び防漏性が得られる吸収性物品を提供することにある。
【課題を解決するための手段】
【０００６】
本発明は、液透過性の表面シート、液不透過性の裏面シート、及びこれら両シート間に介在された液保持性の吸収体を具備し、実質的に縦長に形成された吸収性物品であって、前記吸収体は、その幅方向中央部における裏面シート側の面に凹部を有すると共に、該凹部の両側に位置する部分の表面シート側の面に、長手方向に延びる一対の溝を有しており、前記凹部は、前記吸収体の構成材料の坪量を他の部分より減らして形成されており、該凹部の幅が５〜３０ｍｍである吸収性物品を提供することにより前記目的を達成したものである。
【０００７】
また、本発明は、液透過性の表面シート、液不透過性の裏面シート及びこれら両シート間に介在された液保持性の吸収体を具備し、実質的に縦長に形成されている吸収性物品であって、前記吸収体は、上部吸収層と下部吸収層とからなり、該下部吸収層は、その幅方向中央部に開口部を有すると共に、該開口部の両側に位置する部分の表面シート側の面に、長手方向に延びる一対の溝を有しており、前記上部吸収層は、吸収性物品の幅方向において、一対の前記溝間の領域に位置し且つ前記開口部の両側に跨っている吸収性物品を提供することにより前記目的を達成したものである。
【発明の効果】
【０００８】
本発明の吸収性物品によれば、着用時に、吸収体が、着用者の肌に向かって曲面状に突出した形状に変形し、優れたフィット性及び防漏性が得られる。
【発明を実施するための最良の形態】
【０００９】
以下本発明を、その好ましい実施形態に基づき図面を参照しながら説明する。
本発明の吸収性物品の一実施形態（第１実施形態）である生理用ナプキン１（以下、ナプキン１という）は、図１〜図３に示すように、液透過性の表面シート２、液不透過性の裏面シート３、及びこれら両シート間に介在された液保持性の吸収体４を具備し、実質的に縦長に形成されている。
【００１０】
吸収体４は、ナプキン１の長手方向と同方向に長い形状を有している。表面シート２は、着用時に、着用者の肌に向けられる肌当接面を形成している。表面シート２は、吸収体４の上面を覆う部分と、該部分から幅方向外方に延出した延出部とを有しており、該延出部は、吸収体４の側面部を覆って、下面側に巻き下げられ、その端縁部が、吸収体４と裏面シート３との間に接着剤で固定されている。
【００１１】
また、表面シート２及び裏面シート３は、吸収体４の長手方向の両端それぞれから長手方向外方に延出し、それらの延出部において互いに接合されてエンドシール部５，５を形成している。ナプキン１の裏面シート３側の面（非肌当接面側の面）には、ナプキン固定用の粘着部（図示略）が形成されている。
【００１２】
本ナプキン１における吸収体４は、図２に示すように、その幅方向中央部における裏面シート３側の面に凹部４１を有すると共に、該凹部４１の両側に位置する部分４Ｂ，４Ｂの表面シート２側の面に、ナプキン１の長手方向に延びる一対の溝４２，４２を有している。
【００１３】
前記凹部４１は、吸収体４の略中央部に存する略矩形状部分４Ａの構成材料の坪量を、他の部分、特に凹部４１の両側に位置する部分４Ｂ，４Ｂより減らして形成されている。具体的には、周面に多数の集積用凹部を有し回転する積繊ドラムを備え、パルプ繊維等の繊維材料及び／又は吸水性ポリマーを空気流にのせて積繊ドラムに向けて供給し、これらを、各集積用凹部の底面に形成された多数の開孔から吸引して該集積用凹部内に堆積させるように構成した公知の積繊機における、前記各集積用凹部の底面に、前記凹部４１に対応する形状の凸部を形成することによって得られたものである。凹部４１に対応する形状の凸部は、例えば、多数の開孔を有する金属板又は網状体にプレス加工等により形成することができる。
【００１４】
このようにして製造された吸収体４は、凹部４１を有する部分４Ａの構成材料（特に繊維材料）の坪量が、他の部分、特に凹部４１の両側に位置する部分４Ｂ，４Ｂの坪量よりも小さくなっている一方、凹部４１を有する部分４Ａの繊維材料の密度は、他の部分、特に凹部４１の両側に位置する部分４Ｂ，４Ｂの密度と略等しくなっている。このように、本ナプキン１における吸収体４の凹部４１は、吸収体の一部を圧縮して形成したものとは構成が異なっている。
尚、吸収体４の、凹部４１を有する部分４Ａの厚みは２．５〜７ｍｍ、特に２．５〜４ｍｍであることが好ましく、該厚みは、他の部分、特に凹部４１の両側に位置する部分４Ｂの厚みの２０〜７０％、特に３０〜６０％であることが好ましい。この厚み比は、部分４Ｂの厚みが３〜１０ｍｍの場合により好ましい。
【００１５】
吸収体４がパルプ繊維等の繊維材料を主体として構成されている場合、吸収体４の、凹部４１を有する部分４Ａの繊維材料の坪量は、５０ｇ／ｍ2で以上且つ吸収体４全体の繊維材料の坪量の９０％以下、特に８０％以下であることが、該部分４Ａ及びその近辺が、着用者の肌に向かって曲面状に突出した形状となりやすいため好ましい。吸収体４全体の繊維材料の坪量は、凹部４１を有する部分４Ａを含めた吸収体４における繊維材料の総重量を、吸収体４全体の面積で除して求められる。吸収体４全体の繊維材料の坪量は、吸収体４の、凹部４１を有する部分４Ａ及びその近辺を、着用者の肌に向かって曲面状に突出した形状に変形させる観点から、１００〜３５０ｇ／ｍ2であることが好ましく、１５０〜２００ｇ／ｍ2であることがより好ましい。ナプキン１における吸収体４は、パルプ繊維を主体として構成されている。
【００１６】
他方、一対の溝４２，４２は、周面に凸条部が環状に形成されたエンボスロールとアンビルロールとを備えたエンボス装置を用いたエンボス加工により形成されたものであり、より具体的には、両ロール間に、凹部４１を有する吸収体４を表面シート２と共に挿通し、該吸収体４の凹部以外の部分を表面シート２と共にエンボスロールの凸条部とアンビルロールの周面との間で熱圧して形成されたものである。溝４２の底部には、表面シート２と吸収体４とが一体的に加圧及び加熱されて形成された多数の圧縮部と該圧縮部より凹む程度が小さい部分とが概ね交互に形成されている。溝４２は、その幅が１〜５ｍｍ程度であり、その深さが２〜１０ｍｍ程度である。
【００１７】
本ナプキン１における一対の溝４２，４２は、図１に示すように、ナプキン１の幅方向に延びる円弧状の連結部４３，４３を介して互いに連結されて環状の溝を形成している。吸収性物品の長手方向に延びるという表現には、概ね長手方向に延びている場合も含まれ、長手方向と平行なものに限られず、長手方向に対して多少の角度を有していても良く、また、円弧状やサインカーブ状に曲がった曲線状の溝が概ね長手方向に延びていても良い。また、円弧状の連結部４３，４３を介さずに連結されていなくてもよい。
【００１８】
凹部４１は、吸収体４の幅方向と同方向の幅Ｗ（図２参照）が５〜３０ｍｍであり、好ましくは１０〜２０ｍｍである。凹部４１の幅Ｗが５ｍｍ未満であると、凹部４１の幅が狭すぎ、吸収体４が小さな曲率で曲がって逆Ｖ字形状の凸部を形成し易くなるため、柔軟で良好なフィット感が得られにくくなる。他方、凹部４１の幅Ｗが３０ｍｍ超であると、凹部４１の幅が広すぎて、吸収体４が、凹部４１を有する部分において、いびつに変形し易くなり、良好なフィット感や漏れ防止効果が得られにくくなる。
【００１９】
尚、本ナプキン１における凹部４１は、略矩形状であり、その幅が長手方向のどの位置でも同じであるが、凹部４１の幅がナプキン１の長手方向において一定でない場合、両足に挟まれる部分、すなわちクロッチ部における凹部４１の幅を、凹部の幅とする（後述する幅Ｗ１との比についても同様）。
【００２０】
また、凹部４１の前記幅Ｗ（図２参照）は、一対の前記溝４２，４２間の幅Ｗ１（図２参照）の１０〜９５％であることが好ましく、２５〜６０％であることがより好ましい。
一対の溝４２，４２間の幅Ｗ１は、該溝４２で吸収体をＶ字形に屈曲させ、吸収体４の凹部４１を有する部分４Ａを、肌側に向けて突出する形状に変形させる観点、そのＶ字形の屈曲部を防漏溝として機能させる観点等から、２５〜５０ｍｍであることが好ましく、３５〜４０ｍｍであることがより好ましい。上述した幅Ｗの幅Ｗ１に対する好ましい割合は、幅Ｗ１の値が上記範囲である場合により好ましい。
【００２１】
また、凹部４１は、ナプキン１の長手方向と同方向の長さＬ（図１参照）が、１０ｍｍ以上で且つ吸収体４の全長以下であることが好ましく、１０〜７０ｍｍであることがより好ましい。尚、凹部４１が吸収体４の長手方向の全長に亘る場合は、該凹部４１は、その底面部の周囲全体が内壁面に囲まれていないものでははないが、そのようなものも凹部である。
【００２２】
本ナプキン１は、通常のナプキンと同様に、ショーツ等に固定して用いる。本ナプキン１によれば、着用状態において、ナプキン１に幅方向の圧縮力が加わると、図３に示すように、吸収体４の、凹部４１の両側に位置する部分４Ｂ，４Ｂが、それぞれ、溝４２を軸として略Ｖ字状に屈曲するとともに、吸収体４の、凹部４１を有する部分４Ａ及びその近辺が、着用者の肌に向かって曲面状に突出した形状に変形する。そのため、ナプキン１の幅方向中央部が、着用時に、良好に且つやさしくフィットするとともに、その両側の溝４２部分では、優れた液の捕捉性が発揮されて、優れた横漏れ防止性能が得られる。
【００２３】
次に、本発明の他の実施形態（第２実施形態）である生理用ナプキン１Ａ（以下、ナプキン１Ａという）について、図４〜図６を参照して説明する。ナプキン１Ａについては、上述したナプキン１と異なる点について主に説明し、同様の点については、同一の符号を付して説明を省略する。特に言及しない点については、上述したナプキン１に関する説明が適宜適用される。
【００２４】
本ナプキン１Ａにおける吸収体４は、図４及び図５に示されるように、上部吸収層４４と下部吸収層４５とからなる。両吸収層４４，４５は、何れもパルプ繊維等の繊維材料を主体として構成されている。下部吸収層４５は、ナプキン１Ａの長手方向と同方向に長い形状を有しており、その長手方向及び幅方向の中央部に略矩形状の開口部（貫通孔）４５ａを有している。また、下部吸収層４５における、開口部４５ａの両側に位置する部分４５ｂ，４５ｂの表面シート２側の面に、長手方向に延びる一対の溝４２，４２が形成されている。
【００２５】
上部吸収層４４は、下部吸収層４５より小型に形成されている。より具体的には、開口部４５ａよりやや大きな矩形状に形成されている。上部吸収層４４は、その周縁部を開口部４５ａの周縁部に重ねた状態で、下部吸収層４５上に積層されており、該開口部４５ａの上部を覆っている。
上部吸収層４４は、図５に示すように、ナプキン１Ａの幅方向において、一対の溝４２，４２間の領域Ｐに位置しており且つ前記開口部４５ａの両側に跨っている。上部吸収層４４は、開口部４５ａの幅Ｗ２より広い幅Ｗ３を有しており、該幅Ｗ３は、一対の溝４２，４２間の幅Ｗ１より狭い。
【００２６】
着用時に、上部吸収層４４を、着用者の肌に向かって曲面状に突出した形状に変形させる観点から、上部吸収層４４の幅Ｗ３は、開口部４５ａの幅Ｗ２に対する比（Ｗ３／Ｗ２）が１．２〜９であることが好ましく、より好ましくは２〜３．５である。また、同様の観点から、開口部４５ａの幅Ｗ２は、一対の溝４２，４２間の幅Ｗ１の１０〜９５％であることが好ましく、より好ましくは２５〜６０％である。
【００２７】
開口部４５ａの幅Ｗ２、上部吸収層４４の幅Ｗ３及び一対の溝４２，４２間の領域の幅Ｗ１は、例えば、この順に５〜３０ｍｍ、１０〜４５ｍｍ、２５〜５０ｍｍとすることができる。前記比（Ｗ３／Ｗ２）及び前記幅Ｗ１に対する前記幅Ｗ２の割合の好ましい範囲は、これらの数値との関係においてより好ましく、特に幅Ｗ２を１０〜２０ｍｍ、幅Ｗ３を２０〜３５ｍｍ、幅１を３５〜４０ｍｍとした場合により好ましい。
【００２８】
尚、本ナプキン１Ａにおける開口部４５ａは、略矩形状であり、その幅が長手方向のどの位置でも同じであるが、開口部４５ａの幅がナプキン１の長手方向において一定でない場合、両足に挟まれる部分、すなわちクロッチ部における開口部４５ａの幅を、凹部の幅とする（上部吸収層４４の幅Ｗ３及び一対の溝４２，４２間の領域Ｐの幅Ｗ１についても同様）。
【００２９】
上部吸収層４４がパルプ繊維等の繊維材料を主体として構成されている場合、上部吸収層４４の繊維材料の坪量は、上部吸収層４４に充分な吸収容量を確保すると共に、上部吸収層４４を、着用者の肌に向かって曲面状に突出した形状に変形させる観点から、５０〜８００ｇ／ｍ2であることが好ましく、２００〜５００ｇ／ｍ2であることがより好ましい。下部吸収層４５が繊維材料を主体として構成されている場合、下部吸収層４５の繊維材料の坪量（開口部４５ａの面積を下部吸収層４５の面積に含めずに算出）は１００〜３５０ｇ／ｍ2であることが好ましく、１５０〜２５０ｇ／ｍ2であることがより好ましい。
【００３０】
また、開口部４５ａは、ナプキン１Ａの長手方向と同方向の長さＬ１（図４参照）が、１０ｍｍ以上で且つ吸収体４の全長未満であることが好ましく、１０〜７０ｍｍであることがより好ましい。
【００３１】
本ナプキン１Ａによれば、着用状態において、ナプキン１Ａに幅方向の圧縮力が加わると、図６に示すように、下部吸収層４５の、開口部４５ａの両側に位置する部分５１ｂ，５１ｂが、溝４２を軸として略Ｖ字状に屈曲するとともに、上部吸収層４４が、着用者の肌に向かって曲面状に突出した形状に変形する。そのため、ナプキン１Ａの幅方向中央部が、着用時に、良好に且つやさしくフィットするとともに、その両側の溝４２部分では、優れた液の捕捉性が発揮されて、優れた横漏れ防止性能が得られる。
【００３２】
以上、本発明の実施形態について説明したが、本発明は、上記の各実施形態に制限されることなく、本発明の趣旨を逸脱しない範囲で適宜変更可能である。
例えば、図７に示す生理用ナプキン１Ｂのように、第１実施形態における吸収体４上に、第２実施形態における上部吸収層４４を積層して、これを吸収体として用いることもできる。この場合、吸収体４の、凹部４１を有する部分４Ａ及びその近辺と共に上部吸収層４４が、着用者の肌に向かって曲面状に突出した形状に変形し、そのため、上述した、第１及び第２実施形態と同様の作用効果が奏される。図７に示すナプキン１Ｂにおける、吸収体４の凹部４１の幅、上部吸収層４４の幅、及び一対の溝４２間の幅についての好ましい構成は、第２実施形態における、下部吸収層４５の開口部４５ａの幅、上部吸収層４４の幅、及び一対の溝４２間の幅についての好ましい構成と同様である。
【００３３】
吸収体４、上部吸収層４４及び下部吸収層４５としては、パルプ繊維、レーヨン繊維、親水化処理した合成繊維等の繊維材料を主体とした繊維集合体、例えばパルプ繊維を７０〜１００％含む繊維集合体や、これに吸水性ポリマーを分散状態又は層状態に保持させたもの等を用いることができる。吸収体や、上部吸収層及び下部吸収層は、繊維集合体又はこれに吸水性ポリマーを保持させたもの等を、ティッシュペーパや不織布等の透水性シート材料で被覆したものであっても良い。表面シート２及び裏面シート３としては、生理用ナプキン等の吸収性物品に従来用いられているものを特に制限なく用いることができる。液不透過性の裏面シート３としては、液を完全に透過させないシート材の他、液を透過させにくい性質のものを用いることもできる。
本発明の吸収性物品は、生理用ナプキン又はパンティライナーに特に適している。
【図面の簡単な説明】
【００３４】
【図１】図１は、本発明の一実施形態としての生理用ナプキンを示す斜視図である。
【図２】図２は、図１のII−II線断面図である。
【図３】図３は、図１に示すナプキンが着用時に変形した状態を示す断面図であり、図２に対応する図である。
【図４】図４は、本発明の他の実施形態としての生理用ナプキンを一部破断して示す斜視図である。
【図５】図５は、図４のIII−III線断面図である。
【図６】図６は、図４に示すナプキンが着用時に変形した状態を示す断面図であり、図５に対応する図である。
【図７】図７は、本発明の更に他の実施形態としての生理用ナプキンを示す断面図（図２及び図５相当図）である。
【符号の説明】
【００３５】
１  生理用ナプキン（吸収性物品）
２  表面シート
３  裏面シート
４  吸収体
４１  凹部
４２  溝
４４  上部吸収層
４５  下部吸収層
４５ａ  開口部
【図１】
2006115996.tif 000003
【図２】
2006115996.tif 000004
【図３】
2006115996.tif 000005
【図４】
2006115996.tif 000006
【図５】
2006115996.tif 000007
【図６】
2006115996.tif 000008
【図７】
2006115996.tif 000009